(57)【要約】  【課題】  ＤＶＤに懸賞機能を付加することにより、ＤＶＤに広告も含み本編情報が記録されている場合には、宣伝効果およびＤＶＤの購買意欲を高めることができ、また、広告が無いＤＶＤでも、ＤＶＤの購買意欲の促進を図れる光ディスクを提供する。  【解決手段】  ＤＶＤの本編情報の再生が終わり、懸賞情報を再生したとき、隠しコードを入力するための入力画面がディスプレイ装置に表示される。ここで隠しコードが入力され、入力された隠しコードが正しいと判定されたとき、当該ＤＶＤが当選のＤＶＤであるか落選のＤＶＤであるかが判定される。当該ＤＶＤが当選のＤＶＤであると判定されたとき、当選に関する画面がディスプレイ装置に表示される。一方、当該ＤＶＤが落選のＤＶＤであると判定されたとき、落選に関する画面がディスプレイ装置に表示される。【選択図】      図２
2006178680.tif 000002
【特許請求の範囲】
【請求項１】
広告も含む／含まない本編情報以外に懸賞情報も記録されているＤＶＤであって、本編
情報の再生後に懸賞情報を再生したとき、隠しコードまたはパスワードを入力するための
入力画面をディスプレイ装置に表示させる入力画面表示手段と、前記入力画面に入力され
た隠しコードまたはパスワードが懸賞情報に含まれる隠しコードまたはパスワードに基づ
いて正しいか否かを判定する隠しコード／パスワード判定手段と、前記入力された隠しコ
ードまたはパスワードが間違いであると判定されたとき前記入力された隠しコードまたは
パスワードが間違いであることを示す画面を前記ディスプレイ装置に表示させる間違い画
面表示手段と、前記入力画面に入力された隠しコードまたはパスワードが正しいと判定さ
れたとき当該ＤＶＤが当選のＤＶＤであるか落選のＤＶＤであるかを懸賞情報に含まれる
当選／落選情報に基づいて判定する当選／落選判定手段と、当該ＤＶＤが当選のＤＶＤで
あると判定されたとき当選に関する画面を前記ディスプレイ装置に表示させる当選画面表
示手段と、当該ＤＶＤが落選のＤＶＤであると判定されたとき落選に関する画面を前記デ
ィスプレイ装置に表示させる落選画面表示手段とを記録したことを特徴とする光ディスク
。
【請求項２】
広告も含む／含まない本編情報以外に懸賞情報も記録された光ディスクであって、本編
情報の再生後に懸賞情報を再生したとき、隠しコードまたはパスワードを入力するための
入力画面をディスプレイ装置に表示させ、前記入力画面に入力された隠しコードまたはパ
スワードが正しいと判定され、当該光ディスクが当選の光ディスクであるとき当選に関す
る画面を前記ディスプレイ装置に表示させ、前記入力された隠しコードまたはパスワード
が正しいと判定され、当該光ディスクが落選の光ディスクであるとき落選に関する画面を
前記ディスプレイ装置に表示させる処理手段を記録したことを特徴とする光ディスク。
【請求項３】
本編情報の再生後に懸賞情報を再生したとき、隠しコードまたはパスワードを入力する
ための入力画面をディスプレイ装置に表示させる入力画面表示手段と、前記入力画面に入
力された隠しコードまたはパスワードが懸賞情報に含まれる隠しコードまたはパスワード
に基づいて正しいか否かを判定する隠しコード／パスワード判定手段と、前記入力された
隠しコードまたはパスワードが間違いであると判定されたとき前記入力された隠しコード
またはパスワードが間違いであることを示す画面を前記ディスプレイ装置に表示させる間
違い画面表示手段と、前記入力された隠しコードまたはパスワードが正しいと判定された
とき当該光ディスクが当選の光ディスクであるか落選の光ディスクであるかを懸賞情報に
含まれる当選／落選情報に基づいて判定する当選／落選判定手段と、当該光ディスクが当
選の光ディスクであると判定されたとき当選に関する画面を前記ディスプレイ装置に表示
させる当選画面表示手段と、当該光ディスクが落選の光ディスクであると判定されたとき
落選に関する画面を前記ディスプレイ装置に表示させる落選画面表示手段とを記録したこ
とを特徴とする請求項２に記載の光ディスク。
【請求項４】
前記光ディスクはＤＶＤであることを特徴とする請求項２または請求項３に記載の光デ
ィスク。
【発明の詳細な説明】
【技術分野】
【０００１】
本発明は懸賞を供与するための懸賞機能が付加された光ディスクに関する。
【背景技術】
【０００２】
従来から、広告（宣伝）の効果を上げるため、広告を行う際に広告に懸賞を付加するよ
うなことが行われている。例えば、特許文献１の従来技術は、広告・宣伝・メディアなど
に、プレゼント番号・記号・印などを記載し、それに連動させたものに、プレゼント番号
・記号・印などを記載し、双方のプレゼント番号・記号・印などが一致していれば当たり
であるというようにしている。これにより、消費者に広告・宣伝・メディアなど複数の人
に見てもらいたいものを高確率で見てもらえるようにしている。
【０００３】
また、例えば、特許文献２の従来技術は、懸賞へ応募可能な記録メディアのユーザに関
する応募条件や記録メディアのユーザへ供与される懸賞を管理する管理手段と、ドライブ
装置によって読み取られた記録メディアの識別番号に基づいて認証を行う認証手段と、懸
賞への応募を受け付ける応募受付手段と、記録メディアのユーザからの応募が応募条件を
満たしている場合に懸賞の抽選を実施する懸賞抽選手段と、ドライブ装置を経由して記録
メディアのユーザに懸賞の提供を行う懸賞提供手段とを有する。これにより、不正な応募
を防止し、応募条件を満たした場合にのみ懸賞を供与できるようになる。
【特許文献１】特開２００３−３０５９７９号公報
【特許文献２】特開２００３−２８１３０８号公報
【発明の開示】
【発明が解決しようとする課題】
【０００４】
特許文献１の従来技術は、コンパクトディスクを広告の媒体として使用する場合、懸賞
・くじシステムを使うようにすることにより、購買者に広告のプレゼント番号を照らし合
わせることで必ず広告を見てもらえると言うことが開示されているが、プレゼント番号が
広告の後に再生された場合は、必ず広告を見ることになるが、このようなことは開示され
ていないので、コンパクトディスクの場合は必ず広告を全部見るとは限らない。特許文献
２の従来技術では、販売店サーバに個別ＩＤが未記録である光ディスクが装着可能になっ
ており、その未記録領域に所定のコンテンツ（例えば懸賞情報）が記録されるが、懸賞情
報を見るまでに必ず広告を全部見るとは言えない。したがって、これらの従来技術は、懸
賞情報を見るまでに広告を見るとは限らないので、宣伝効果が高いとは必ずしも言えない
。
【０００５】
本発明は、上記のような課題を解決するためになされたもので、光ディスクに懸賞機能
を付加することにより、光ディスクに広告も含み本編情報が記録されている場合には、宣
伝効果を高めることができると共に光ディスクの購買意欲も高めることができ、また、広
告が無い光ディスクでも、光ディスクの購買意欲の促進を図れる光ディスクを提供するこ
とを目的とする。
【課題を解決するための手段】
【０００６】
上記目的を達成するために、請求項１の発明は、広告も含む／含まない本編情報以外に
懸賞情報も記録されているＤＶＤであって、本編情報の再生後に懸賞情報を再生したとき
、隠しコードまたはパスワードを入力するための入力画面をディスプレイ装置に表示させ
る入力画面表示手段と、前記入力画面に入力された隠しコードまたはパスワードが懸賞情
報に含まれる隠しコードまたはパスワードに基づいて正しいか否かを判定する隠しコード
／パスワード判定手段と、前記入力された隠しコードまたはパスワードが間違いであると
判定されたとき前記入力された隠しコードまたはパスワードが間違いであることを示す画
面を前記ディスプレイ装置に表示させる間違い画面表示手段と、前記入力された隠しコー
ドまたはパスワードが正しいと判定されたとき当該ＤＶＤが当選のＤＶＤであるか落選の
ＤＶＤであるかを懸賞情報に含まれる当選／落選情報に基づいて判定する当選／落選判定
手段と、当該ＤＶＤが当選のＤＶＤであると判定されたとき当選に関する画面を前記ディ
スプレイ装置に表示させる当選画面表示手段と、当該ＤＶＤが落選のＤＶＤであると判定
されたとき落選に関する画面を前記ディスプレイ装置に表示させる落選画面表示手段とを
記録したことを特徴とする光ディスクを提供する。
【０００７】
この構成において、ＤＶＤの本編情報の再生が終わり、懸賞情報を再生したとき、例え
ば、隠しコードを入力するための入力画面が入力画面表示手段によりディスプレイ装置に
表示される。ここで、ユーザより隠しコードが入力されると、隠しコード／パスワード判
定手段により、前記入力された隠しコードが正しいか否かが懸賞情報に含まれる隠しコー
ドに基づいて判定される。そして、前記入力された隠しコードが間違いであると判定され
たとき、間違い画面表示手段は、前記入力された隠しコードが間違いであることを示す画
面をディスプレイ装置に表示させる。
【０００８】
前記入力された隠しコードが正しいと判定されたとき、当選／落選判定手段は、当該Ｄ
ＶＤが当選のＤＶＤであるか落選のＤＶＤであるかを懸賞情報に含まれる当選／落選情報
に基づいて判定する。そして、当該ＤＶＤが当選のＤＶＤであると判定されたとき、当選
画面表示手段は、当選に関する画面をディスプレイ装置に表示させる。一方、当該ＤＶＤ
が落選のＤＶＤであると判定されたとき、落選画面表示手段は、落選に関する画面をディ
スプレイ装置に表示させる。
【０００９】
この構成によれば、ＤＶＤに懸賞機能を付加することにより、ＤＶＤに広告も含む本編
情報が記録されている場合には、広告の再生が終了した後、懸賞情報が再生され、これに
より、ユーザは必ず広告を見ることになって宣伝効果が高まると共に、懸賞付きのＤＶＤ
であるので、ＤＶＤの購買意欲も高めることができ、また、広告が無いＤＶＤであっても
、懸賞付きのＤＶＤであるので、ＤＶＤの購買意欲が促進される。
【００１０】
請求項２の発明は、広告も含む／含まない本編情報以外に懸賞情報も記録されているＤ
ＶＤであって、本編情報の再生後に懸賞情報を再生したとき、隠しコードまたはパスワー
ドを入力するための入力画面をディスプレイ装置に表示させ、前記入力された隠しコード
またはパスワードが正しいと判定され、当該光ディスクが当選の光ディスクであるとき当
選に関する画面を前記ディスプレイ装置に表示させ、前記入力された隠しコードまたはパ
スワードが正しいと判定され、当該光ディスクが落選の光ディスクであるとき落選に関す
る画面を前記ディスプレイ装置に表示させる処理手段を記録したことを特徴とする光ディ
スクを提供する。
【００１１】
この構成において、広告も含む／含まない本編情報以外に懸賞情報も記録された光ディ
スクを再生していき本編情報の再生後に懸賞情報を再生したとき、隠しコードまたはパス
ワードを入力するための入力画面がディスプレイ装置に表示される。入力された隠しコー
ドまたはパスワードが正しいと判定され、当該光ディスクが当選の光ディスクであるとき
、当選に関する画面がディスプレイ装置に表示される。前記入力された隠しコードまたは
パスワードが正しいと判定され、当該光ディスクが落選の光ディスクであるとき、落選に
関する画面がディスプレイ装置に表示される。
【００１２】
この構成によれば、光ディスクに懸賞機能を付加することにより、光ディスクに広告も
含む本編情報が記録されている場合には、広告の再生が終了した後、懸賞情報が再生され
、これにより、ユーザは必ず広告を見ることになって宣伝効果が高まると共に、懸賞付き
の光ディスクであるので、光ディスクの購買意欲も高めることができ、また、広告が無い
光ディスクでも、懸賞付きの光ディスクであるので、光ディスクの購買意欲が促進される
。
【００１３】
請求項３の発明では、請求項２の発明において、前記光ディスクは、本編情報の再生後
に懸賞情報を再生したとき、隠しコードまたはパスワードを入力するための入力画面をデ
ィスプレイ装置に表示させる入力画面表示手段と、前記入力画面に入力された隠しコード
またはパスワードが懸賞情報に含まれる隠しコードまたはパスワードに基づいて正しいか
否かを判定する隠しコード／パスワード判定手段と、前記入力された隠しコードまたはパ
スワードが間違いであると判定されたとき前記入力された隠しコードまたはパスワードが
間違いであることを示す画面を前記ディスプレイ装置に表示させる間違い画面表示手段と
、前記入力された隠しコードまたはパスワードが正しいと判定されたとき当該光ディスク
が当選の光ディスクであるか落選の光ディスクであるかを懸賞情報に含まれる当選／落選
情報に基づいて判定する当選／落選判定手段と、当該光ディスクが当選の光ディスクであ
ると判定されたとき当選に関する画面を前記ディスプレイ装置に表示させる当選画面表示
手段と、当該光ディスクが落選の光ディスクであると判定されたとき落選に関する画面を
前記ディスプレイ装置に表示させる落選画面表示手段とを記録している。
【００１４】
したがって、広告も含む／含まない本編情報以外に懸賞情報も記録された光ディスクを
再生していき本編情報の再生後に懸賞情報を再生したとき、隠しコードまたはパスワード
を入力するための入力画面をディスプレイ装置に表示させることができる。入力された隠
しコードまたはパスワードが正しいと判定され、当該光ディスクが当選の光ディスクであ
るとき、当選に関する画面をディスプレイ装置に表示させることができる。前記入力され
た隠しコードまたはパスワードが正しいと判定され、当該光ディスクが落選の光ディスク
であるとき、落選に関する画面をディスプレイ装置に表示させることができる。
【００１５】
請求項４の発明では、請求項２または請求項３の発明において、前記光ディスクはＤＶ
Ｄである場合は、ＤＶＤのナビゲーション機能を利用してＤＶＤに懸賞機能を付加するこ
とができる。
【発明の効果】
【００１６】
以上のように本発明によれば、広告も含む／含まない本編情報以外に懸賞情報も記録さ
れているＤＶＤであって、本編情報の再生後に懸賞情報を再生したとき、隠しコードまた
はパスワードを入力するための入力画面をディスプレイ装置に表示させる入力画面表示手
段と、前記入力画面に入力された隠しコードまたはパスワードが懸賞情報に含まれる隠し
コードまたはパスワードに基づいて正しいか否かを判定する隠しコード／パスワード判定
手段と、前記入力された隠しコードまたはパスワードが間違いであると判定されたとき前
記入力された隠しコードまたはパスワードが間違いであることを示す画面を前記ディスプ
レイ装置に表示させる間違い画面表示手段と、前記入力された隠しコードまたはパスワー
ドが正しいと判定されたとき当該ＤＶＤが当選のＤＶＤであるか落選のＤＶＤであるかを
懸賞情報に含まれる当選／落選情報に基づいて判定する当選／落選判定手段と、当該ＤＶ
Ｄが当選のＤＶＤであると判定されたとき当選に関する画面を前記ディスプレイ装置に表
示させる当選画面表示手段と、当該ＤＶＤが落選のＤＶＤであると判定されたとき落選に
関する画面を前記ディスプレイ装置に表示させる落選画面表示手段とを記録しているので
、ＤＶＤに懸賞機能を付加することができ、ＤＶＤに広告も含む本編情報が記録されてい
る場合には、広告の再生が終了した後、懸賞情報が再生され、これにより、ユーザは必ず
広告を見ることになって宣伝効果が高まると共に、懸賞付きのＤＶＤであるので、ＤＶＤ
の購買意欲も高めることができ、また、広告が無いＤＶＤでも、懸賞付きのＤＶＤである
ので、ＤＶＤの購買意欲が促進される。
【００１７】
また、本発明によれば、広告も含む／含まない本編情報以外に懸賞情報も記録されてい
るＤＶＤであって、本編情報の再生後に懸賞情報を再生したとき、隠しコードまたはパス
ワードを入力するための入力画面をディスプレイ装置に表示させ、前記入力された隠しコ
ードまたはパスワードが正しいと判定され、当該光ディスクが当選の光ディスクであると
き当選に関する画面を前記ディスプレイ装置に表示させ、前記入力された隠しコードまた
はパスワードが正しいと判定され、当該光ディスクが落選の光ディスクであるとき落選に
関する画面を前記ディスプレイ装置に表示させる処理手段を記録しているので、光ディス
クに懸賞機能を付加することができ、光ディスクに広告も含む本編情報が記録されている
場合には、広告の再生が終了した後、懸賞情報が再生され、これにより、ユーザは必ず広
告を見ることになって宣伝効果が高まると共に、懸賞付きの光ディスクであるので、光デ
ィスクの購買意欲も高めることができ、また、広告が無い光ディスクでも、懸賞付きの光
ディスクであるので、光ディスクの購買意欲が促進される。
【発明を実施するための最良の形態】
【００１８】
以下、添付図面を参照しつつ、本発明の実施の形態について説明する。図１は本発明の
一実施形態に係る光ディスク装置の構成を示すブロック図である。
【００１９】
この光ディスク装置は、光ディスク１を回転させるスピンドルモータ５と、光ディスク
１に対して情報の記録／再生を行うためのレーザ光を出射すると共に光ディスク１からの
反射光を受光する光ピックアップ２と、この光ピックアップ２を光ディスク１の半径方向
に移動させるためのスレッド３と、システムコントローラ２２の指示に応じてスピンドル
モータ５およびスレッド３を駆動すると共に光ピックアップ２に内蔵された対物レンズ（
図示せず）を動かすことによりレーザ光の焦点位置を光ディスク１の記録面に対して垂直
方向および水平方向に移動させる制御を行うサーボ制御部４とを備えている。
【００２０】
また、この光ディスク装置は、光ディスク１の再生時に光ピックアップ２からの読取信
号であるＲＦ信号を増幅するＲＦアンプ６と、このＲＦアンプ６から出力されたＲＦ信号
をデジタルデータに変換した後に光ディスク１のデータフォーマットに応じた信号復調処
理と誤り訂正処理を行って生成したデータをＲＡＭ７に格納するデジタル信号処理部８と
、システムコントローラ２２の指示に応じてデジタル信号処理部８から出力されたデータ
ストリームの中からオーディオデータとサブピクチャデータとビデオデータとを分離する
ストリーム分離部９とを備えている。
【００２１】
また、この光ディスク装置は、ストリーム分離部９から出力されたオーディオデータを
入力して所定のデコード処理を行うオーディオデコーダ１１と、このオーディオデコーダ
１１でのデコード処理を行うためにデータを一時的に格納するＲＡＭ１０と、ストリーム
分離部９から出力されたサブピクチャデータを入力して所定のデコード処理を行うサブピ
クチャデコーダ１３と、このサブピクチャデコーダ１３でのデコード処理を行うためにデ
ータを一時的に格納するＲＡＭ１２と、ストリーム分離部９から出力されたビデオデータ
を入力して所定のデコード処理を行うビデオデコーダ１５と、このビデオデコーダ１５で
のデコード処理を行うためにデータを一時的に格納するＲＡＭ１４とを備えている。
【００２２】
また、この光ディスク装置は、システムコントローラ２２の指示に応じてビデオデコー
ダ１５から出力されたデータとサブピクチャデコーダ１３から出力されたデータとを合成
するビデオプロセッサ１７と、このビデオプロセッサ１７から出力された合成データを表
示用のビデオ信号に変換して画像をディスプレイ装置２０に表示させるビデオエンコーダ
１８と、オーディオデコーダ１１から出力されたデータをアナログのオーディオ信号に変
換して例えばスピーカ１９に供給するＤ／Ａ変換器１６とを備えている。
【００２３】
また、この光ディスク装置は、システムコントローラ２２に対して、装置電源をオンま
たはオフさせる指示を与えるための電源キー、再生指示を与えるための再生キー、再生停
止を指示するための停止キー、その他各種操作キーを有し、装置本体の前面パネルに設け
られた操作部２１と、装置全体を制御する前記システムコントローラ２２とを備えている
。操作部２１は、リモコン（リモートコントローラ）２６からの操作指令を示す光信号を
受信する受光手段（図示せず）を備え、この受光手段により光信号を電気信号に変換して
システムコントローラ２２に指令信号を入力する。リモコン２６は操作部２１と同様な各
種操作キーを有する。
【００２４】
また、この光ディスク装置は、装置の各構成要素を制御したり、装置全体を制御したり
するためのプログラムやデータなどを記憶するフラッシュＲＯＭ２３と、このフラッシュ
ＲＯＭ２３のプログラムやデータに従って演算処理を行いシステムコントローラ２２を制
御するＣＰＵ２４と、ＣＰＵ２４の演算処理に必要なデータを一時的に格納するＲＡＭ２
７と、操作部２１またはリモコン２６からの操作内容などを表示したりする本体側の表示
手段である表示部２５とを備えている。
【００２５】
また、この光ディスク装置は、図示しないテレビジョン受信機やパーソナルコンピュー
タなどから送られてきた映像音声データを光ディスク１に記録するために変調をかける記
録データ変調回路２９と、この記録データ変調回路２９により変調された変調データに基
づいて光ピックアップ２から出射するレーザ光を変調させるためのレーザ変調信号を光ピ
ックアップ２に出力するレーザ変調回路２８とを備えている。
【００２６】
システムコントローラ２２は、光ディスク１に記録された懸賞情報および処理手段を読
み取り、本編情報の再生後に懸賞情報を再生したとき隠しコードまたはパスワードを入力
するための入力画面をディスプレイ装置２０に表示させる入力画面表示手段２２１と、前
記入力画面に入力された隠しコードまたはパスワードが懸賞情報に含まれる隠しコードま
たはパスワードに基づいて正しいか否かを判定する隠しコード／パスワード判定手段２２
２と、前記入力された隠しコードまたはパスワードが間違いであると判定されたとき前記
入力された隠しコードまたはパスワードが間違いであることを示す画面をディスプレイ装
置２０に表示させる間違い画面表示手段２２３と、前記入力された隠しコードまたはパス
ワードが正しいと判定されたとき当該光ディスクが当選の光ディスクであるか落選の光デ
ィスクであるかを懸賞情報に含まれる当選／落選情報に基づいて判定する当選／落選判定
手段２２４と、当該光ディスクが当選の光ディスクであると判定されたとき当選に関する
画面をディスプレイ装置２０に表示させる当選画面表示手段２２５と、当該光ディスクが
落選の光ディスクであると判定されたとき落選に関する画面をディスプレイ装置２０に表
示させる落選画面表示手段２２６とを設定する。
【００２７】
図２は本実施形態において懸賞情報も記録された光ディスクを再生して当選画面または
落選画面が表示されるまでの処理を説明するためのフローチャートである。このフローチ
ャートを参照して懸賞情報も記録された光ディスクを再生して当選画面または落選画面が
表示されるまでの処理について説明する。ここで、説明する光ディスク１はＤＶＤ（Digi
tal Versatile Disc）であり、ＤＶＤのナビゲーション機能（図２のフローチャートに示
すような処理機能）を利用してＤＶＤに懸賞の概念を取り入れ、当り／外れの懸賞情報を
付加し、市場で販売するＤＶＤが作成されているものとする。また、ここでは光ディスク
としてＤＶＤを用いているが、ＤＶＤに限らず、前記ナビゲーション機能をＤＶＤ以外の
光ディスクに持たせれば、この光ディスクの懸賞機能を実現することも可能である。
【００２８】
ユーザが購買してきた懸賞付きの光ディスク１を光ディスク装置に装填し（ステップＳ
１）、リモコン２６または操作部２１の再生キーを押下することにより、再生が開始し（
ステップＳ２）、システムコントローラ２２は、サーボ制御部４、デジタル信号処理部８
、ストリーム分離部９、ビデオプロセッサ１７などを制御し、ビデオエンコーダ１８で処
理されたビデオ信号はディスプレイ装置２０に供給されて映像化され、オーディオデコー
ダ１１で処理されたオーディオ信号はスピーカ１９に供給されて音声化される。また、こ
のときシステムコントローラ２２は、光ディスク１からの処理手段を読み取り、入力画面
表示手段２２１、隠しコード／パスワード判定手段２２２、間違い画面表示手段２２３、
当選／落選判定手段２２４、当選画面表示手段２２５、および落選画面表示手段２２６を
設定する。
【００２９】
そして、光ディスク１の本編情報の再生が終わり、懸賞情報を再生したとき、システム
コントローラ２２の入力画面表示手段２２１は、隠しコードを入力するための入力画面を
ディスプレイ装置２０に表示させる（ステップＳ３）。入力画面としては、例えば図３に
示すような隠しコード入力画面ａがディスプレイ装置２０に表示される。この隠しコード
入力画面ａでは、隠しコードが「５９６３」であることを示している。このフローチャー
トの処理では、隠しコードを入力する場合について説明するが、パスワードを入力する場
合についても同様な処理が行われる。
【００３０】
ここで、ユーザが、インターネット上のサイトや新聞などから得た隠しコードがリモコ
ン２６または操作部２１より入力すると、システムコントローラ２２は、その隠しコード
の入力を検出し（ステップＳ４）、隠しコード／パスワード判定手段２２２により、前記
入力された隠しコードと光ディスク１に予め記録されている懸賞情報に含まれる隠しコー
ドとを比較し、前記入力された隠しコードが正しいか否かを判定する（ステップＳ５）。
そして、前記入力された隠しコードが間違いであると判定されたとき、間違い画面表示手
段２２３は、リンクコマンドまたはジャンプコマンドに従って隠しコードが間違いである
ことを示す画面が表示されるタイトルに再生先を飛ばし、前記入力された隠しコードが間
違いであることを示す画面をディスプレイ装置２０に表示させ（ステップＳ８）、ステッ
プＳ３の処理に戻る。
【００３１】
例えば、本来の隠しコードが「５９６３」であるところ、ユーザがリモコン２６または
操作部２１のテンキーを押下して「５９６２」を入力すると、間違い画面表示手段２２３
は、前記入力された隠しコードが間違いであることを示す画面、例えば「只今入力された
隠しコードは間違っていますので、もう一度隠しコードを入れ直して下さい。」などと言
うメッセージをディスプレイ装置２０に表示させる。
【００３２】
前記入力された隠しコードが正しいと判定されたとき、当選／落選判定手段２２４は、
当該光ディスク１が当選（当たり）の光ディスクであるか落選（外れ）の光ディスクであ
るかを懸賞情報に含まれる当選／落選情報に基づいて判定する（ステップＳ６）。そして
、当該光ディスク１が当選の光ディスクであると判定されたとき、当選画面表示手段２２
５は、リンクコマンドまたはジャンプコマンドに従って当選に関する画面が表示されるタ
イトルに再生先を飛ばし、当選に関する画面をディスプレイ装置２０に表示させる（ステ
ップＳ７）。
【００３３】
当選画面表示手段２２５は、例えば図３に示すような当選画面ｂをディスプレイ装置２
０に表示させる。したがって、当選者は、当選画面ｂに表示された詳しい応募要綱を見て
、ディスク販売元に電子メールまたはインターネットあるいは葉書や手紙などで報告する
ことにより当選したことを知らせ、この当選報告を受けたディスク販売元は景品を当選者
に送付することになる。
【００３４】
一方、当該光ディスク１が落選の光ディスクであると判定されたとき、落選画面表示手
段２２６は、リンクコマンドまたはジャンプコマンドに従って落選に関する画面が表示さ
れるタイトルに再生先を飛ばし、落選に関する画面をディスプレイ装置２０に表示させる
（ステップＳ９）。落選画面表示手段２２６は、例えば図３に示すような落選画面ｃをデ
ィスプレイ装置２０に表示させる。このように、当選画面が表示された後、または落選画
面が表示された後、リモコン２６または操作部２１の停止キーを押下して再生を停止させ
ると（ステップＳ１０）、本処理は終了する。
【００３５】
以上説明したように本実施形態によれば、ＤＶＤに懸賞機能を付加することにより、例
えば、ＤＶＤに広告も含み映画やドラマが記録されている場合には、映画やドラマおよび
広告の再生が終了した後、懸賞情報が再生され、これにより、ユーザは必ず広告を見るこ
とになって宣伝効果が高まると共に、懸賞付きのＤＶＤであるので、ＤＶＤの購買意欲も
高めることができる。また、広告が無いＤＶＤでも、懸賞付きのＤＶＤであるので、ＤＶ
Ｄの購買意欲も高めることができる。また、広告は無くＤＶＤに続きものの映画やドラマ
が記録されている場合には、懸賞付きのＤＶＤであり、しかも続きものの映画やドラマで
あるので、最終回までの分までの複数のＤＶＤを購買する意欲が注がれ、ＤＶＤの購買意
欲が更に促進される。また、懸賞の景品が購買者にとってどうしても欲しいものであれば
、当選するまでＤＶＤを何枚も購買しようとし、購買意欲が高まる。
【００３６】
なお、上記実施形態では、光ディスクに対して情報の記録／再生を行えるＤＶＤレコー
ダなどの光ディスク装置における処理に説明したが、光ディスクに記録された情報を再生
するＤＶＤプレーヤなどの光ディスク装置における処理についても同様であり、同じ効果
が得られる。再生のみ行える光ディスク装置の構成は、図１において、記録データ変調回
路２９およびレーザ光変調回路２８などの記録系回路を備えていないだけで、その他の構
成は記録／再生を行う光ディスク装置と同様である。
【図面の簡単な説明】
【００３７】
【図１】本発明の一実施形態に係る光ディスク装置の構成を示すブロック図である。
【図２】前記実施形態において懸賞情報も記録された光ディスクを再生して当選画面または落選画面が表示されるまでの処理を説明するためのフローチャートである。
【図３】前記実施形態において隠しコード入力画面と当選画面と落選画面の一例を示す図である。
【符号の説明】
【００３８】
１    光ディスク
２０    ディスプレイ装置
２２    システムコントローラ
２２１    入力画面表示手段
２２２    隠しコード／パスワード判定手段
２２３    間違い画面表示手段
２２４    当選／落選判定手段
２２５    当選画面表示手段
２２６    落選画面表示手段
ａ    隠しコード入力画面
ｂ    当選画面
ｃ    落選画面
【図１】
2006178680.tif 000003
【図２】
2006178680.tif 000004
【図３】
2006178680.tif 000005